【手続補正書】
【提出日】令和2年6月29日(2020.6.29)
【手続補正１】
【補正対象書類名】特許請求の範囲
【補正対象項目名】全文
【補正方法】変更
【補正の内容】
【特許請求の範囲】
【請求項１】
双方向特徴を第１のデバイスから第２のデバイスに転送するための方法であって、前記方法は、
第１のユーザおよび第２のユーザが第１のデバイス上でメディアアセットを消費していることを検出するステップと、
前記第２のユーザから、前記第１のデバイス上で双方向特徴をアクティブ化するためのコマンドを受信し、それによって、前記第１のユーザによる前記メディアアセットの消費を中断させるステップと、
前記双方向特徴をアクティブ化するためのコマンドの受信に応答して、
前記第１のユーザと関連付けられた第１のプロファイルのデータと前記メディアアセットのメタデータを比較し、前記メディアアセットが前記第１のユーザにとって関心があるかどうかを判定するステップと、
前記比較に基づいて、前記メディアアセットと関連付けられたメタデータが前記第１のプロファイルのデータに合致することを判定するステップと、
前記メディアアセットと関連付けられたメタデータが前記第１のプロファイルのデータに合致することの判定に応答して、
前記双方向特徴が前記第１のデバイス上でアクティブである期間を追跡するタイマをアクティブ化するステップと、
前記双方向特徴がアクティブである期間が閾値を上回ることを判定するステップと、
前記期間が前記閾値を上回ることの判定に応答して、
前記第２のユーザと関連付けられた第２のデバイスを識別するステップと、
前記第２のユーザに、前記双方向特徴を前記第１のデバイスから前記第２のデバイスに転送する選択可能オプションをプロンプトするステップと
を含む、方法
【請求項２】
前記メディアアセットと関連付けられたメタデータが前記第１のプロファイルのデータに合致しないことの判定に応答して、前記タイマをアクティブ化することを止め、前記第２のユーザに、前記双方向特徴を前記第１のデバイスから前記第２のデバイスに転送する選択可能オプションをプロンプトすることを止めるステップをさらに含む、請求項１に記載の方法。
【請求項３】
前記第１のユーザと関連付けられた第１のプロファイル内のデータに基づいて、前記第１のユーザが前記双方向特徴に関心があることを判定するステップと、
前記判定に基づいて、前記閾値を増加させるステップと
をさらに含む、請求項１〜２のいずれかに記載の方法。
【請求項４】
前記第２のユーザと関連付けられた第２のデバイスを識別するステップは、
複数のアクセス可能デバイスを検出するステップと、
前記第２のユーザと関連付けられた第２のユーザプロファイルに基づいて、前記複数のアクセス可能デバイスのうちのデバイスが前記第２のユーザと関連付けられることを判定するステップと、
前記デバイスを前記第２のデバイスとして識別するステップと
を含む、請求項１〜３のいずれかに記載の方法。
【請求項５】
前記閾値を生成するステップと、
前記閾値を前記第１のプロファイル内に記憶するステップと、
前記閾値を前記第１のプロファイルから読み出すステップと
をさらに含む、請求項１〜４のいずれかに記載の方法。
【請求項６】
前記閾値を生成するステップは、
前記第１のユーザによって現在消費されているメディアが広告によって中断されていることを判定するステップと、
前記第１のユーザが前記広告を無視し始めたことを検出するステップと、
前記メディアが前記広告によって中断された第１の時間と前記第１のユーザが前記広告を無視し始めた第２の時間との間の期間に基づいて、前記閾値を生成するステップと
を含む、請求項５に記載の方法。
【請求項７】
前記選択可能オプションのユーザ選択を受信するステップと、
前記双方向特徴を前記第１のデバイスから前記第２のデバイスに転送するステップと、
前記第１のユーザが前記メディアアセットを無視していることを検出するステップと、
前記第１のユーザが前記メディアアセットを無視していることの検出に応答して、表示のために、前記双方向特徴を前記第２のデバイスから前記第１のデバイスに逆転送する選択可能オプションを生成するステップと
をさらに含む、請求項１〜６のいずれかに記載の方法。
【請求項８】
前記第１のユーザが前記メディアアセットを無視していることを検出するステップは、
前記ユーザの眼が前記メディアアセットの方向に向いていないことを検出するステップと、
前記ユーザの眼が前記メディアアセットの方向に向いていない期間を追跡するタイマをアクティブ化するステップと、
前記タイマに基づいて、前記ユーザの眼が前記メディアアセットの方向に向いていない期間が閾値を上回ることを判定するステップと、
前記判定に基づいて、前記ユーザが前記メディアアセットを無視していることを検出するステップと
を含む、請求項７に記載の方法。
【請求項９】
双方向特徴を第１のデバイスから第２のデバイスに転送するためのシステムであって、前記システムは、請求項１〜８のいずれかに記載の方法を実行するように構成された制御回路を備える、システム。
【請求項１０】
非一過性コンピュータ可読媒体であって、前記非一過性コンピュータ可読媒体は、双方向特徴を第１のデバイスから第２のデバイスに転送するための前記非一過性コンピュータ可読媒体上にエンコードされた非一過性コンピュータ可読命令を有し、前記非一過性コンピュータ可読命令は、制御回路によって実行されるとき、前記制御回路に、請求項１〜８のいずれかに記載の方法を行わせる、非一過性コンピュータ可読媒体。
【手続補正２】
【補正対象書類名】明細書
【補正対象項目名】００１９
【補正方法】変更
【補正の内容】
【００１９】
メディアガイドアプリケーションは、第１のアクセス可能デバイス上での表示のために、双方向特徴を第１のアクセス可能デバイスに転送するプロンプトを生成してもよい。メディアガイドアプリケーションは、次いで、第１のユーザと関連付けられた識別されたデバイス上でプロンプトを生成してもよい。いくつかの実施形態では、本プロセスは、メディアガイドアプリケーションが第２のユーザと関連付けられたアクセス可能デバイスが見出され得ないことを判定後、実施されてもよい。
本願明細書は、例えば、以下の項目も提供する。
（項目１）
方法であって、
同一ユーザ機器から第２のユーザとともにメディアアセットを消費している第１のユーザから、前記第１のデバイス上で双方向特徴をアクティブ化するためのコマンドを受信するステップであって、双方向特徴のアクティブ化は、前記同一ユーザ機器からのメディアアセットの消費を中断させる、ステップと、
前記双方向特徴をアクティブ化するためのコマンドの受信に応答して、前記第２のユーザが前記メディアアセットに関心がある場合、タイマを始動させるステップと、
前記タイマが閾値時間量を超えることの判定に応答して、前記第１のユーザに、前記双方向特徴を前記第１のデバイスから前記第２のデバイスに転送する選択可能オプションをプロンプトするステップと
を含む、方法。
（項目２）
双方向特徴を第１のデバイスから第２のデバイスに転送するための方法であって、前記方法は、
第１のユーザおよび第２のユーザが第１のデバイス上でメディアアセットを消費していることを検出するステップと、
前記第２のユーザから、前記第１のデバイス上で双方向特徴をアクティブ化するためのコマンドを受信し、それによって、前記第１のユーザによる前記メディアアセットの消費を中断させるステップと、
前記双方向特徴をアクティブ化するためのコマンドの受信に応答して、
前記第１のユーザと関連付けられた第１のプロファイルのデータと前記メディアアセットのメタデータを比較し、前記メディアアセットが前記第１のユーザにとって関心があるかどうかを判定するステップと、
前記比較に基づいて、前記メディアアセットと関連付けられたメタデータが前記第１のプロファイルのデータに合致することを判定するステップと、
前記メディアアセットと関連付けられたメタデータが前記第１のプロファイルのデータに合致することの判定に応答して、
前記双方向特徴が前記第１のデバイス上でアクティブである期間を追跡するタイマをアクティブ化するステップと、
前記双方向特徴がアクティブである期間が閾値を上回ることを判定するステップと、
前記期間が前記閾値を上回ることの判定に応答して、
前記第２のユーザと関連付けられた第２のデバイスを識別するステップと、
前記第２のユーザに、前記双方向特徴を前記第１のデバイスから前記第２のデバイスに転送する選択可能オプションをプロンプトするステップと
を含む、方法
（項目３）
前記メディアアセットと関連付けられたメタデータが前記第１のプロファイルのデータに合致しないことの判定に応答して、前記タイマをアクティブ化することを止め、前記第２のユーザに、前記双方向特徴を前記第１のデバイスから前記第２のデバイスに転送する選択可能オプションをプロンプトすることを止めるステップをさらに含む、項目２に記載の方法。
（項目４）
前記第１のユーザと関連付けられた第１のプロファイル内のデータに基づいて、前記第１のユーザが前記双方向特徴に関心があることを判定するステップと、
前記判定に基づいて、前記閾値を増加させるステップと
をさらに含む、項目２に記載の方法。
（項目５）
前記第２のユーザと関連付けられた第２のデバイスを識別するステップは、
複数のアクセス可能デバイスを検出するステップと、
前記第２のユーザと関連付けられた第２のユーザプロファイルに基づいて、前記複数のアクセス可能デバイスのうちのデバイスが前記第２のユーザと関連付けられることを判定するステップと、
前記デバイスを前記第２のデバイスとして識別するステップと
を含む、項目２に記載の方法。
（項目６）
前記第２のユーザに、前記双方向特徴を前記第１のデバイスから前記第２のデバイスに転送する選択可能オプションをプロンプトするステップは、前記第２のデバイス上で前記第２のユーザにプロンプトするステップを含む、項目２に記載の方法。
（項目７）
前記閾値を生成するステップと、
前記閾値を前記第１のプロファイル内に記憶するステップと、
前記閾値を前記第１のプロファイルから読み出すステップと
をさらに含む、項目２に記載の方法。
（項目８）
前記閾値を生成するステップは、
前記第１のユーザによって現在消費されているメディアが広告によって中断されていることを判定するステップと、
前記第１のユーザが前記広告を無視し始めたことを検出するステップと、
前記メディアが前記広告によって中断された第１の時間と前記第１のユーザが前記広告を無視し始めた第２の時間との間の期間に基づいて、前記閾値を生成するステップと
を含む、項目７に記載の方法。
（項目９）
前記選択可能オプションのユーザ選択を受信するステップと、
前記双方向特徴を前記第１のデバイスから前記第２のデバイスに転送するステップと、
前記第１のユーザが前記メディアアセットを無視していることを検出するステップと、
前記第１のユーザが前記メディアアセットを無視していることの検出に応答して、表示のために、前記双方向特徴を前記第２のデバイスから前記第１のデバイスに逆転送する選択可能オプションを生成するステップと
をさらに含む、項目２に記載の方法。
（項目１０）
前記第１のユーザが前記メディアアセットを無視していることを検出するステップは、
前記ユーザの眼が前記メディアアセットの方向に向いていないことを検出するステップと、
前記ユーザの眼が前記メディアアセットの方向に向いていない期間を追跡するタイマをアクティブ化するステップと、
前記タイマに基づいて、前記ユーザの眼が前記メディアアセットの方向に向いていない期間が閾値を上回ることを判定するステップと、
前記判定に基づいて、前記ユーザが前記メディアアセットを無視していることを検出するステップと
を含む、項目９に記載の方法。
（項目１１）
前記第２のユーザに、前記双方向特徴を前記第１のデバイスから前記第２のデバイスに転送するようにプロンプトするステップは、
複数のアクセス可能デバイスを検出するステップと、
前記複数のアクセス可能デバイスのうちの第１のアクセス可能デバイスが前記第１のユーザと関連付けられることを判定するステップと、
前記第１のアクセス可能デバイス上での表示のために、前記双方向特徴を前記第１のアクセス可能デバイスに転送するプロンプトを生成するステップと
を含む、項目２に記載の方法。
（項目１２）
双方向特徴を第１のデバイスから第２のデバイスに転送するためのシステムであって、前記システムは、制御回路を備え、前記制御回路は、
第１のユーザおよび第２のユーザが第１のデバイス上でメディアアセットを消費していることを検出することと、
前記第２のユーザから、前記第１のデバイス上で双方向特徴をアクティブ化するためのコマンドを受信し、それによって、前記第１のユーザによる前記メディアアセットの消費を中断させることと、
前記双方向特徴をアクティブ化するためのコマンドの受信に応答して、
前記第１のユーザと関連付けられた第１のプロファイルのデータと前記メディアアセットのメタデータを比較し、前記メディアアセットが前記第１のユーザにとって関心があるかどうかを判定することと、
前記比較に基づいて、前記メディアアセットと関連付けられたメタデータが前記第１のプロファイルのデータに合致することを判定することと、
前記メディアアセットと関連付けられたメタデータが前記第１のプロファイルのデータに合致することの判定に応答して、
前記双方向特徴が前記第１のデバイス上でアクティブである期間を追跡するタイマをアクティブ化することと、
前記双方向特徴がアクティブである期間が閾値を上回ることを判定することと、
前記期間が前記閾値を上回ることの判定に応答して、
前記第２のユーザと関連付けられた第２のデバイスを識別することと、
前記第２のユーザに、前記双方向特徴を前記第１のデバイスから前記第２のデバイスに転送する選択可能オプションをプロンプトすることと
を行うように構成される、システム。
（項目１３）
前記制御回路はさらに、
前記メディアアセットと関連付けられたメタデータが前記第１のプロファイルのデータに合致しないことの判定に応答して、前記タイマをアクティブ化することを止め、前記第２のユーザに、前記双方向特徴を前記第１のデバイスから前記第２のデバイスに転送する選択可能オプションをプロンプトすることを止める
ように構成される、項目１２に記載のシステム。
（項目１４）
前記制御回路はさらに、
前記第１のユーザと関連付けられた第１のプロファイル内のデータに基づいて、前記第１のユーザが前記双方向特徴に関心があることを判定することと、
前記判定に基づいて、前記閾値を増加させることと
を行うように構成される、項目１２に記載のシステム。
（項目１５）
前記制御回路は、前記第２のユーザと関連付けられた第２のデバイスを識別するとき、
複数のアクセス可能デバイスを検出することと、
前記第２のユーザと関連付けられた第２のユーザプロファイルに基づいて、前記複数のアクセス可能デバイスのうちのデバイスが前記第２のユーザと関連付けられることを判定することと、
前記デバイスを前記第２のデバイスとして識別することと
を行うように構成される、項目１２に記載のシステム。
（項目１６）
前記制御回路はさらに、前記第２のユーザに、前記双方向特徴を前記第１のデバイスから前記第２のデバイスに転送する選択可能オプションをプロンプトするとき、前記第２のユーザに、前記第２のデバイス上でプロンプトするように構成される、項目１２に記載のシステム。
（項目１７）
前記制御回路はさらに、
前記閾値を生成することと、
前記閾値を前記第１のプロファイル内に記憶することと、
前記閾値を前記第１のプロファイルから読み出すことと、
を行うように構成される、項目１２に記載のシステム。
（項目１８）
前記制御回路はさらに、前記閾値を生成するとき、
前記第１のユーザによって現在消費されているメディアが広告によって中断されていることを判定することと、
前記第１のユーザが前記広告を無視し始めたことを検出することと、
前記メディアが前記広告によって中断された第１の時間と前記第１のユーザが前記広告を無視し始めた第２の時間との間の期間に基づいて、前記閾値を生成することと
を行うように構成される、項目１７に記載のシステム。
（項目１９）
前記制御回路はさらに、
前記選択可能オプションのユーザ選択を受信することと、
前記双方向特徴を前記第１のデバイスから前記第２のデバイスに転送することと、
前記第１のユーザが前記メディアアセットを無視していることを検出することと、
前記第１のユーザが前記メディアアセットを無視していることの検出に応答して、表示のために、前記双方向特徴を前記第２のデバイスから前記第１のデバイスに逆転送する選択可能オプションを生成することと
を行うように構成される、項目１２に記載のシステム。
（項目２０）
前記制御回路はさらに、前記第１のユーザが前記メディアアセットを無視していることを検出するとき、
前記ユーザの眼が前記メディアアセットの方向に向いていないことを検出することと、
前記ユーザの眼が前記メディアアセットの方向に向いていない期間を追跡するタイマをアクティブ化することと、
前記タイマに基づいて、前記ユーザの眼が前記メディアアセットの方向に向いていない期間が閾値を上回ることを判定することと、
前記判定に基づいて、前記ユーザが前記メディアアセットを無視していることを検出することと
を行うように構成される、項目１９に記載のシステム。
（項目２１）
前記制御回路はさらに、前記第２のユーザに、前記双方向特徴を前記第１のデバイスから前記第２のデバイスに転送するようにプロンプトするとき、
複数のアクセス可能デバイスを検出することと、
前記複数のアクセス可能デバイスのうちの第１のアクセス可能デバイスが前記第１のユーザと関連付けられることを判定することと、
前記第１のアクセス可能デバイス上での表示のために、前記双方向特徴を前記第１のアクセス可能デバイスに転送するプロンプトを生成することと
を行うように構成される、項目１２に記載のシステム。
（項目２２）
双方向特徴を第１のデバイスから第２のデバイスに転送するためのシステムであって、前記システムは、
第１のユーザおよび第２のユーザが第１のデバイス上でメディアアセットを消費していることを検出するための手段と、
前記第２のユーザから、前記第１のデバイス上で双方向特徴をアクティブ化するためのコマンドを受信し、それによって、前記第１のユーザによる前記メディアアセットの消費を中断させるための手段と、
前記双方向特徴をアクティブ化するためのコマンドの受信に応答して、
前記第１のユーザと関連付けられた第１のプロファイルのデータと前記メディアアセットのメタデータを比較し、前記メディアアセットが前記第１のユーザにとって関心があるかどうかを判定するための手段と、
前記比較に基づいて、前記メディアアセットと関連付けられたメタデータが前記第１のプロファイルのデータに合致することを判定するための手段と、
前記メディアアセットと関連付けられたメタデータが前記第１のプロファイルのデータに合致することの判定に応答して、
前記双方向特徴が前記第１のデバイス上でアクティブである期間を追跡するタイマをアクティブ化するための手段と、
前記双方向特徴がアクティブである期間が閾値を上回ることを判定するための手段と、
前記期間が前記閾値を上回ることの判定に応答して、
前記第２のユーザと関連付けられた第２のデバイスを識別するための手段と、
前記第２のユーザに、前記双方向特徴を前記第１のデバイスから前記第２のデバイスに転送する選択可能オプションをプロンプトするための手段と
を備える、システム
（項目２３）
前記メディアアセットと関連付けられたメタデータが前記第１のプロファイルのデータに合致しないことの判定に応答して、前記タイマをアクティブ化することを止め、前記第２のユーザに、前記双方向特徴を前記第１のデバイスから前記第２のデバイスに転送する選択可能オプションをプロンプトすることを止めるための手段をさらに備える、項目２２に記載のシステム。
（項目２４）
前記第１のユーザと関連付けられた第１のプロファイル内のデータに基づいて、前記第１のユーザが前記双方向特徴に関心があることを判定するための手段と、
前記判定に基づいて、前記閾値を増加させるための手段と
をさらに備える、項目２２に記載のシステム。
（項目２５）
前記第２のユーザと関連付けられた第２のデバイスを識別するための手段は、
複数のアクセス可能デバイスを検出するための手段と、
前記第２のユーザと関連付けられた第２のユーザプロファイルに基づいて、前記複数のアクセス可能デバイスのうちのデバイスが前記第２のユーザと関連付けられることを判定するための手段と、
前記デバイスを前記第２のデバイスとして識別するための手段と
を備える、項目２２に記載のシステム。
（項目２６）
前記第２のユーザに、前記双方向特徴を前記第１のデバイスから前記第２のデバイスに転送する選択可能オプションをプロンプトするための手段は、前記第２のデバイス上で前記第２のユーザにプロンプトするための手段を備える、項目２２に記載のシステム。
（項目２７）
前記閾値を生成するための手段と、
前記閾値を前記第１のプロファイル内に記憶するための手段と、
前記閾値を前記第１のプロファイルから読み出すための手段と
をさらに備える、項目２２に記載のシステム。
（項目２８）
前記閾値を生成するための手段は、
前記第１のユーザによって現在消費されているメディアが広告によって中断されていることを判定するための手段と、
前記第１のユーザが前記広告を無視し始めたことを検出するための手段と、
前記メディアが前記広告によって中断された第１の時間と前記第１のユーザが前記広告を無視し始めた第２の時間との間の期間に基づいて、前記閾値を生成するための手段と
を備える、項目２７に記載のシステム。
（項目２９）
前記選択可能オプションのユーザ選択を受信するための手段と、
前記双方向特徴を前記第１のデバイスから前記第２のデバイスに転送するための手段と、
前記第１のユーザが前記メディアアセットを無視していることを検出するための手段と、
前記第１のユーザが前記メディアアセットを無視していることの検出に応答して、表示のために、前記双方向特徴を前記第２のデバイスから前記第１のデバイスに逆転送する選択可能オプションを生成するための手段と
をさらに備える、項目２２に記載のシステム。
（項目３０）
前記第１のユーザが前記メディアアセットを無視していることを検出するための手段は、
前記ユーザの眼が前記メディアアセットの方向に向いていないことを検出するための手段と、
前記ユーザの眼が前記メディアアセットの方向に向いていない期間を追跡するタイマをアクティブ化するための手段と、
前記タイマに基づいて、前記ユーザの眼が前記メディアアセットの方向に向いていない期間が閾値を上回ることを判定するための手段と、
前記判定に基づいて、前記ユーザが前記メディアアセットを無視していることを検出するための手段と
を備える、項目２９に記載のシステム。
（項目３１）
前記第２のユーザに、双方向特徴を前記第１のデバイスから前記第２のデバイスに転送するようにプロンプトするための手段は、
複数のアクセス可能デバイスを検出するための手段と、
前記複数のアクセス可能デバイスのうちの第１のアクセス可能デバイスが前記第１のユーザと関連付けられることを判定するための手段と、
前記第１のアクセス可能デバイス上での表示のために、前記双方向特徴を前記第１のアクセス可能デバイスに転送するプロンプトを生成するための手段と
を備える、項目２２に記載のシステム。
（項目３２）
メモリを備える非一過性機械可読媒体であって、前記メモリは、双方向特徴を第１のデバイスから第２のデバイスに転送するための前記メモリ上にエンコードされた命令を有し、前記命令は、
第１のユーザおよび第２のユーザが第１のデバイス上でメディアアセットを消費していることを検出するための命令と、
前記第２のユーザから、前記第１のデバイス上で双方向特徴をアクティブ化するためのコマンドを受信し、それによって、前記第１のユーザによる前記メディアアセットの消費を中断させるための命令と、
前記双方向特徴をアクティブ化するためのコマンドの受信に応答して、
前記第１のユーザと関連付けられた第１のプロファイルのデータと前記メディアアセットのメタデータを比較し、前記メディアアセットが前記第１のユーザにとって関心があるかどうかを判定するための命令と、
前記比較に基づいて、前記メディアアセットと関連付けられたメタデータが前記第１のプロファイルのデータに合致することを判定するための命令と、
前記メディアアセットと関連付けられたメタデータが前記第１のプロファイルのデータに合致することの判定に応答して、
前記双方向特徴が前記第１のデバイス上でアクティブである期間を追跡するタイマをアクティブ化するための命令と、
前記双方向特徴がアクティブである期間が閾値を上回ることを判定するための命令と、
前記期間が前記閾値を上回ることの判定に応答して、
前記第２のユーザと関連付けられた第２のデバイスを識別するための命令と、
前記第２のユーザに、前記双方向特徴を前記第１のデバイスから前記第２のデバイスに転送する選択可能オプションをプロンプトするための命令と
を備える、非一過性機械可読媒体。
（項目３３）
前記命令はさらに、
前記メディアアセットと関連付けられたメタデータが前記第１のプロファイルのデータに合致しないことの判定に応答して、前記タイマをアクティブ化することを止め、前記第２のユーザに、前記双方向特徴を前記第１のデバイスから前記第２のデバイスに転送する選択可能オプションをプロンプトすることを止めるための命令
を備える、項目３２に記載の非一過性コンピュータ可読媒体。
（項目３４）
前記命令はさらに、
前記第１のユーザと関連付けられた第１のプロファイル内のデータに基づいて、前記第１のユーザが前記双方向特徴に関心があることを判定するための命令と、
前記判定に基づいて、前記閾値を増加させるための命令と
を備える、項目３２に記載の非一過性機械可読媒体。
（項目３５）
前記第２のユーザと関連付けられた第２のデバイスを識別するための命令は、
複数のアクセス可能デバイスを検出するための命令と、
前記第２のユーザと関連付けられた第２のユーザプロファイルに基づいて、前記複数のアクセス可能デバイスのうちのデバイスが前記第２のユーザと関連付けられることを判定するための命令と、
前記デバイスを前記第２のデバイスとして識別するための命令と
を備える、項目３２に記載の非一過性機械可読媒体。
（項目３６）
前記第２のユーザに、前記双方向特徴を前記第１のデバイスから前記第２のデバイスに転送する選択可能オプションをプロンプトするための命令は、前記第２のデバイス上で前記第２のユーザにプロンプトするための命令を備える、項目３２に記載の非一過性機械可読媒体。
（項目３７）
前記命令はさらに、
前記閾値を生成するための命令と、
前記閾値を前記第１のプロファイル内に記憶するための命令と、
前記閾値を前記第１のプロファイルから読み出すための命令と
を備える、項目３２に記載の非一過性機械可読媒体。
（項目３８）
前記閾値を生成するための命令は、
前記第１のユーザによって現在消費されているメディアが広告によって中断されていることを判定するための命令と、
前記第１のユーザが前記広告を無視し始めたことを検出するための命令と、
前記メディアが前記広告によって中断された第１の時間と前記第１のユーザが前記広告を無視し始めた第２の時間との間の期間に基づいて、前記閾値を生成するための命令と
を備える、項目３７に記載の非一過性機械可読媒体。
（項目３９）
前記命令はさらに、
前記選択可能オプションのユーザ選択を受信するための命令と、
前記双方向特徴を前記第１のデバイスから前記第２のデバイスに転送するための命令と、
前記第１のユーザが前記メディアアセットを無視していることを検出するための命令と、
前記第１のユーザが前記メディアアセットを無視していることの検出に応答して、表示のために、前記双方向特徴を前記第２のデバイスから前記第１のデバイスに逆転送する選択可能オプションを生成するための命令と
を備える、項目３２に記載の非一過性機械可読媒体。
（項目４０）
前記第１のユーザが前記メディアアセットを無視していることを検出するための命令は、
前記ユーザの眼が前記メディアアセットの方向に向いていないことを検出するための命令と、
前記ユーザの眼が前記メディアアセットの方向に向いていない期間を追跡するタイマをアクティブ化するための命令と、
前記タイマに基づいて、前記ユーザの眼が前記メディアアセットの方向に向いていない期間が閾値を上回ることを判定するための命令と、
前記判定に基づいて、前記ユーザが前記メディアアセットを無視していることを検出するための命令と
を備える、項目３９に記載の非一過性機械可読媒体。
（項目４１）
前記第２のユーザに、前記双方向特徴を前記第１のデバイスから前記第２のデバイスに転送するようにプロンプトするための命令は、
複数のアクセス可能デバイスを検出するための命令と、
前記複数のアクセス可能デバイスのうちの第１のアクセス可能デバイスが前記第１のユーザと関連付けられることを判定するための命令と、
前記第１のアクセス可能デバイス上での表示のために、前記双方向特徴を前記第１のアクセス可能デバイスに転送するプロンプトを生成するための命令と
を備える、項目３２に記載の非一過性機械可読媒体。
（項目４２）
双方向特徴を第１のデバイスから第２のデバイスに転送するための方法であって、前記方法は、
第１のユーザおよび第２のユーザが第１のデバイス上でメディアアセットを消費していることを検出するステップと、
前記第２のユーザから、前記第１のデバイス上で双方向特徴をアクティブ化するためのコマンドを受信し、それによって、前記第１のユーザによる前記メディアアセットの消費を中断させる、ステップと、
前記双方向特徴をアクティブ化するためのコマンドの受信に応答して、前記メディアアセットと関連付けられたメタデータが前記第１のプロファイルのデータに合致することを判定するステップと、
前記メディアアセットと関連付けられたメタデータが前記第１のプロファイルのデータに合致することの判定に応答して、前記双方向特徴がアクティブである期間が閾値を上回ることを判定するステップと、
前記期間が前記閾値を上回ることの判定に応答して、前記第２のユーザに、前記双方向特徴を前記第１のデバイスから前記第２のデバイスに転送する選択可能オプションをプロンプトするステップと
を含む、方法。
（項目４３）
前記メディアアセットと関連付けられたメタデータが前記第１のプロファイルのデータに合致しないことの判定に応答して、前記タイマをアクティブ化することを止め、前記第２のユーザに、前記双方向特徴を前記第１のデバイスから前記第２のデバイスに転送する選択可能オプションをプロンプトすることを止めるステップをさらに含む、項目４２に記載の方法。
（項目４４）
前記メディアアセットと関連付けられたメタデータが前記第１のプロファイルのデータに合致することを判定するステップは、
前記第１のユーザと関連付けられた第１のプロファイルのデータと前記メディアアセットのメタデータを比較し、前記メディアアセットが前記第１のユーザにとって関心があるかどうかを判定するステップ
を含む、項目４２または４３のいずれかに記載の方法。
（項目４５）
前記第２のユーザと関連付けられた第２のデバイスを識別するステップをさらに含み、前記第２のユーザと関連付けられた第２のデバイスを識別するステップは、
複数のアクセス可能デバイスを検出するステップと、
前記第２のユーザと関連付けられた第２のユーザプロファイルに基づいて、前記複数のアクセス可能デバイスのうちのデバイスが前記第２のユーザと関連付けられることを判定するステップと、
前記デバイスを前記第２のデバイスとして識別するステップと
によって行われる、項目４２−４４のいずれかに記載の方法。
（項目４６）
前記第２のユーザに、前記双方向特徴を前記第１のデバイスから前記第２のデバイスに転送する選択可能オプションをプロンプトするステップは、前記第２のデバイス上で前記第２のユーザにプロンプトするステップを含む、項目４２−４５のいずれかに記載の方法。
（項目４７）
前記双方向特徴がアクティブである期間が閾値を上回ることを判定するステップは、
前記双方向特徴が前記第１のデバイス上でアクティブである期間を追跡するタイマをアクティブ化するステップ
を含む、項目４２−４６のいずれかに記載の方法。
（項目４８）
前記閾値を生成するステップをさらに含み、前記閾値を生成するステップは、
前記第１のユーザによって現在消費されているメディアが広告によって中断されていることを判定するステップと、
前記第１のユーザが前記広告を無視し始めたことを検出するステップと、
前記メディアが前記広告によって中断された第１の時間と前記第１のユーザが前記広告を無視し始めた第２の時間との間の期間に基づいて、前記閾値を生成するステップと
によって行われる、項目４２−４７のいずれかに記載の方法。
（項目４９）
前記選択可能オプションのユーザ選択を受信するステップと、
前記双方向特徴を前記第１のデバイスから前記第２のデバイスに転送するステップと、
前記第１のユーザが前記メディアアセットを無視していることを検出するステップと、
前記第１のユーザが前記メディアアセットを無視していることの検出に応答して、表示のために、前記双方向特徴を前記第２のデバイスから前記第１のデバイスに逆転送する選択可能オプションを生成するステップと
をさらに含む、項目４２−４８のいずれかに記載の方法。
（項目５０）
前記第１のユーザが前記メディアアセットを無視していることを検出するステップは、
前記ユーザの眼が前記メディアアセットの方向に向いていないことを検出するステップと、
前記ユーザの眼が前記メディアアセットの方向に向いていない期間を追跡するタイマをアクティブ化するステップと、
前記タイマに基づいて、前記ユーザの眼が前記メディアアセットの方向に向いていない期間が閾値を上回ることを判定するステップと、
前記判定に基づいて、前記ユーザが前記メディアアセットを無視していることを検出するステップと
を含む、項目４９に記載の方法。
（項目５１）
前記第２のユーザに、前記双方向特徴を前記第１のデバイスから前記第２のデバイスに転送するようにプロンプトするステップは、
複数のアクセス可能デバイスを検出するステップと、
前記複数のアクセス可能デバイスのうちの第１のアクセス可能デバイスが前記第１のユーザと関連付けられることを判定するステップと、
前記第１のアクセス可能デバイス上での表示のために、前記双方向特徴を前記第１のアクセス可能デバイスに転送するプロンプトを生成するステップと
を含む、項目４２−５０のいずれかに記載の方法。